(57)【要約】【課題】一定の大きさのグリッドを連結するモザイク式表示パネルにおいて、タイルを装着した状態でグリッドを連結できる構造を実現する。【解決手段】碁盤目状に区画した一定の大きさのグリッド１の区画壁の交点部分に連結用の筒部４を配置し、筒部の表裏両面に環状突部５を設ける。グリッドの周辺部は、区画壁を分割した形状とし、複数のグリッドを突き合わせた状態で形成される筒部に、連結用ボルト６のボルト頭７及びナット８に形成した短筒部を環状突部に嵌合させる。連結用ボルトは、ピン11によってグリッド周辺の筒部4’に係止させておき、タイル９を装着した別のグリッドを接近させるとき、係止させてある連結用ボルトのボルト頭７を、環状突部５とタイル10の下端の間の間隔Ｘを通過させて環状突部に嵌合させ、グリッド１の裏面において端面方向から操作によってナット８を締め付け固定する。【選択図】  図６
2010213375.tif 000002
【特許請求の範囲】
【請求項１】
縦横の区画壁によって碁盤目状に区画した一定の大きさのグリッドの区画壁の交点部分に連結用の筒部を設け、周辺の区画壁は連結用の筒部を含めて区画壁の厚みを二分割した形状とし、複数のグリッドを組み合わせた状態で周辺の区画壁は隣接するグリッドの周辺の区画壁とで他の区画壁と同じ厚みとなるようにし、かつ連結用の筒部を形成させ、
筒部の表裏両端面にそれぞれ外方に突出する環状突部を設けるとともに連結用ボルトのボルト頭及びナットに上記環状突部が嵌合し得る短筒部を形成し、グリッドの表裏両面において隣接するグリッドの筒部に形成した環状突部を連結用ボルト及びナットの短筒部に係合させ、筒部の外周方には区画壁の一部をグリッドの面方向に延長してその先端面がグリッドに装着されるタイルの支受面となる突起を形成し、
連結用ボルトのボルト頭に形成した短筒部とグリッドの筒部に形成した環状突部を嵌合させた状態で、連結用ボルトをグリッドの筒部に係止させておくためのピンを連結用ボルトのボルト頭に形成し、かつナットの軸方向端面に締め付け工具との係止部を形成するとともに、
連結用ボルトのボルト頭厚みを、グリッドの環状突部上端とタイルの支受面となる突起上端までの間隔よりも小さく形成したことを特徴とするモザイク式表示パネルにおけるグリッド連結構造。
【発明の詳細な説明】
【技術分野】
【０００１】
この発明は、区画壁によって縦横碁盤目状に区画して多数の枡路を形成したグリッドの各桝路に、無地タイルや記号あるいは図柄などを彫刻した彫刻タイルを装着して盤面を構成するモザイク式表示パネルに関し、一定の大きさのグリッドを連結して大きなパネルを構成する場合のグリッド連結構造に係る発明である。
【背景技術】
【０００２】
モザイク式表示パネルのグリッドは、例えば金属製とし、縦横の区画壁によって碁盤目状に形成した一定の大きさの、複数のグリッドを連結して表示パネルとして必要な大きさのものを完成させる。この際、グリッドを連結するための構造として、特許文献１や特許文献２に開示された構造が知られている。
特許文献１には、区画壁の交点部分に連結用の筒部を形成し、周辺の区画壁は連結用の筒部を含めて区画壁の厚みを二分割した形状とし、複数のグリッドを組み合わせた状態で周辺の区画壁は隣接するグリッドの周辺の区画壁とで他の区画壁と同じ厚みとなるようにし、かつ連結用の筒部が形成される構造が開示されている。連結構造として、筒部の表裏両端面にそれぞれ外方に突出する環状突部を設けるとともに連結用ボルトのボルト頭及びナットに前記環状突部が嵌合し得る短筒部を形成し、グリッドの表裏両面において隣接するグリッドの筒部に形成した環状突部を連結用ボルト及びナットの短筒部に係合させて締め付け固定する構造が開示されている。
【０００３】
特許文献２には、図10に示すように特許文献１に開示された技術に加え、筒部４の外周方に区画壁の一部をグリッド１の面方向に延長してその先端面がグリッド１に装着されるタイル９の支受面となる突起10を形成する思想が開示されている。
特許文献１及び２に記載されたグリッド１は、いずれも図12に示すようにグリッド１の正面から連結用ボルト６をドライバー工具で螺着する構造であるため、複数のグリッドを連結する場合、グリッド１を連結した後にタイル９を装着し、あるいは少なくとも周辺にタイル９が装着されていないグリッド１、１を連結し、グリッド１、１を連結した後に周辺のタイル９を装着して表示パネルを完成させなければならなかった。
【先行技術文献】
【特許文献】
【０００４】
【特許文献１】実公平０２−５６０６号公報
【特許文献２】実開平０６−１７３０９号公報
【発明の概要】
【発明が解決しようとする課題】
【０００５】
特許文献１や特許文献２に記載された発明は、グリッド１を連結する場合、グリッド１の正面からの連結用ボルト６の螺着作業を必要とする。ところで、グリッド１に装着するタイル９には、パネル面を構成するため種々の記号や図柄を彫刻などの手段によって記載する必要がある。この記載は、一つのタイル９を単位として加工し、組み合わせるものであってもよいが、グリッド１に装着された一定の大きさの状態で機械的な加工、すなわちＮＣ彫刻及び/又は印刷によって加工するのが効率的であり、複数のタイル９、９表面に連続する一つの図柄を正確できれいな状態で能率的に加工することができる。
【０００６】
グリッド１に無地タイル9Aが装着された状態でＮＣ彫刻を行う場合の作業の流れを図11について説明する。図11の(Ａ)に示す方法では、(a)に示すようにグリッド１に無地タイル9Aを挿入し、(b)に示すようにグリッド１に装着された状態の無地タイル9Aに対してＮＣ彫刻を施す。(c)に示すようにグリッド１に装着したタイル９のうち、グリッド１の外周に位置するタイル９(9A及び9B)を取り外し、(e)に示すように別のグリッド１に仮置きする。外周部分のタイル９(9A及び9B)が取り外されたグリッド１は、図12に示すようにパネル表面側からドライバーによって連結ボルトを締め付けることによってグリッド１、１どうしを連結することができる。その後、図11(Ａ)の(d)に示すように外周部分のタイル９が取り外されたグリッド１を連結し、(e)に仮置きしていたタイルを装着し、(f)の表示パネルＰを完成する。
【０００７】
図11の(Ｂ)に示す方法は、(a)に示すようにグリッド１に無地タイル9Aを挿入し、(b)に示すようにグリッド１に装着された状態の無地タイル9Aに対してＮＣ彫刻及び/又は印刷を施す。(b)に示すようにグリッド１に装着されたタイルのうち、ＮＣ彫刻及び/又は印刷が施されたタイル9Bを(c)に示すように別のグリッド１に仮置きするとともに、(d)に示すように、別工程により複数のグリッド１、１を必要な大きさに連結する。(d)によって必要な大きさに連結されたグリッドに対して、(c)に仮置きしていた彫刻タイル9Bを装着するとともに、残りのグリッド１の枡路13に無地タイル9Aを装着することによって(e)の表示パネルを完成させる。
【０００８】
このように、グリッド１の面方向からドライバーによる螺着作業が必要な従来のグリッド連結構造を利用する場合、ＮＣ彫刻及び/又は印刷を施した後に彫刻及び/又は印刷を施した彫刻タイル9Bを別のグリッド１に仮置きし、仮置きした彫刻タイル9Bもしくは無地タイル9Aをグリッド１に装着しなおす必要があり作業効率が悪い欠点があった。
図８には、タイル９を装着した状態のグリッド１を連結することが可能な場合の工程を示している。すなわち、図８に示す工程は、(a)に示すようにグリッドの四隅もしくは必用箇所に連結用ボルトをセットしておき、(b)に示すようにグリッド１の各枡路13に無地タイル9Aを装着し、グリッド１に無地タイル9Aが装着された状態で(c)に示すようにＮＣ彫刻及び/又は印刷を施す。その後、(d)に示すようにＮＣ彫刻及び/又は印刷が施された彫刻タイル9Bや無地タイル9Aを装着した状態のグリッド１、１を連結し、目的の大きさの表示パネルＰを完成させる。
【０００９】
上記したように、従来技術のグリッド連結構造では、無地タイルをグリッドに装着してＮＣ彫刻及び/又は印刷を行い、最終的に大きな表示パネルを完成させるためには、少なくともタイルの一部を取り外して仮置きし、装着し直す必要があり作業効率が悪い欠点があった。これに対して、図８に示す工程では、タイルを仮置きする必要がなく、作業効率を向上させることができる。
本発明は、タイル９を装着した状態でグリッド１を連結することを可能とし、図８に示す工程のように能率的にモザイク式表示パネルを組み立てることができる、グリッドの連結構造を実現することを目的とするものである。
【課題を解決するための手段】
【００１０】
前記、目的を達成する本発明において適用するグリッド１は、縦横の区画壁２、３によって碁盤目状に区画した一定の大きさであって、区画壁２、３の交点部分に連結用の筒部４を設け、周辺の区画壁2’、3’は連結用の筒部４を含めて区画壁２、３の厚みを二分割した形状とし、複数のグリッド１、を組み合わせた状態で周辺の区画壁2’、3’は隣接するグリッド１の周辺の区画壁2’、3’とで他の区画壁２、３と同じ厚みとなるようにし、かつ連結用の筒部４を形成させる。
【００１１】
そして、筒部４の表裏両端面にそれぞれ外方に突出する環状突部５、５を設けるとともに連結用ボルト６のボルト頭７及びナット８に上記環状突部５が嵌合し得る短筒部7a、8aを形成し、グリッド１の表裏両面において隣接するグリッド１の筒部４に形成した環状突部を連結用ボルト６及びナット８の短筒部7a、8aに係合させることができるようにする。筒部４の外周方には区画壁２、３の一部をグリッド１の面方向に延長してその先端面がグリッド１に装着されるタイル９の支受面となる突起10、10を形成する。
【００１２】
上記構造のグリッド１において、本発明は連結用ボルト６のボルト頭７に形成した短筒部7aと、グリッド１の筒部４に形成した環状突部５を嵌合させた状態で、連結用ボルト６をグリッド１の筒部４に係止させておくためのピン11を連結用ボルト６のボルト頭７に形成する。また、ナット８の軸方向端面に締め付けのために、工具との係止部12、12を形成する。
さらに、連結用ボルト６のボルト頭７の厚みＴを、グリッド１の環状突部５上端とタイル９の支受面となる突起10上端までの間隔Ｘよりも小さく形成する (図３参照) 。
【００１３】
上記構成の本発明において、グリッド１、１どうしを連結するには、図２に示すようにグリッド１(1A)の四隅に位置する四分割された状態の筒部4’、4’に連結用ボルト６、６を係止させておく。すなわち、連結用ボルト６のボルト頭７に形成した短筒部7aが、四分割された状態の筒部4’の環状突部５に嵌合し、嵌合している部分以外の部分は、グリッド１の外周縁から突出した状態となる(図５参照)。このとき、一定の大きさのグリッド１の各枡路13、13にはタイル９、９が装着してある。
【００１４】
連結用ボルト６を係止させた部分に、タイル９を装着した(連結用ボルトを係止させていない)グリッド1B、1C、1Dを付き合わせる。このとき、図６に拡大図で示すように、外方に突出している連結用ボルト６のボルト頭７の下方に四分割された状態の筒部4’を挿入して密接させ、図６に矢印で示すように上方に移動させることによって端筒部7aに筒部4’上端の環状突部５を嵌合させることができる。このようにして、1A、1B、1C、1D四つのグリッドを連結すると四方に、二つのグリッドを連結すると二方に連続させることができる。
【００１５】
このとき、ボルト頭７の厚みＴが環状突部５上端とタイルの支受面となる突起10上端までの間隔Ｘよりも小さく形成している。そのため、タイル９を装着した状態であっても、グリッドの側方に突出しているボルト頭７を、間隔Ｘ部分を通過させることによって突合せ、ボルト頭７の短筒部7aを筒部4’の環状突部５に嵌合させることができる。
【００１６】
ボルト頭７に形成した短筒部7aが、隣接するグリッド１、１の表面側において、筒部4’、4’の環状突部５に嵌合した状態で、連結用ボルト６にナット８を螺着し、ナット８に形成した短筒部8aをグリッド１の裏面において筒部4’、4’の環状突部５に嵌合させ、締め付け固定することによってグリッド１、１の連結が完了する。
【００１７】
グリッド１の裏面に突出している連結用ボルト６にナット８を螺着するに際し、筒部４の外方に突起10が形成されているため、ナット８を側方から回動させることができない。したがって、軸方向端面に形成した係止部12、12に締め付け工具を係合させ、具体的にはドライバーのように回動工具の前方に突出させた二つの爪14、14を係合させて締め付け固定する。
【発明の効果】
【００１８】
請求項１記載の、本発明モザイク式表示パネルにおけるグリッド連結構造によれば、グリッド１にタイル９を装着した状態でグリッドを連結することができる。したがって、グリッド１の全面にタイル９、９を装着した状態でＮＣ彫刻及び/又は印刷を施す場合に、従来のようにＮＣ彫刻及び/又は印刷を施したタイルを取り外して仮置きし、連結したグリッドに再度装着するといった工程を必要とせず、モザイク式表示パネルを能率的に組み立てることができる。
【図面の簡単な説明】
【００１９】
【図１】図１は、本発明に係るグリッド連結構造の締め付け作業を示す一部切断の側面図、
【図２】図２は、グリッドの組み合わせを示す正面図、
【図３】図３は、図２のＡ−Ａ線及びＢ−Ｂ線断面図、
【図４】図４は、グリッド及びタイルの一例を示す平面図、
【図５】図５は、タイルを装着したグリッドに連結用ボルトを装着した状態の平面図、
【図６】図６は、図５に示すグリッドに対して別のグリッドを連結する状態の平面図、
【図７】図７は、連結用ボルトとナットの半断面斜視図、
【図８】図８は、本発明に係るグリッド連結構造による、グリッド連結作業の流れを示す略図、
【図９】図９は、表示パネルのフレームとグリッドの連結構造を示す平面図、
【図１０】図１０は、従来のグリッド連結構造の一例を示す縦断面図、
【図１１】図１１は、従来のグリッド連結構造による、グリッド連結作業の流れを示す略図、
【図１２】図１２は、従来の連結構造による表示パネルのフレームとグリッドの連結構造を示す平面図である。
【発明を実施するための形態】
【００２０】
本発明のモザイク式表示パネルにおけるグリッド連結構造は、図８(a)に示すように一定の大きさのグリッド１の四隅もしくは四隅以外の周辺に連結用ボルト６を係止させておく工程と、(b)に示す連結用ボルト６を係止させたグリッドの桝路13に無地タイル9Aを装着する工程と、(c)に示す必要な模様や記号をＮＣ彫刻する加工工程と、(d)に示すように無地タイル9Aや彫刻タイル9Bが装着された状態のグリッド１を連結する工程によって、模様や記号が記載された大きな表示パネルＰを完成させる。
【００２１】
モザイク式表示パネルのグリッド１は、図２の1Cに示すように縦横の区画壁２、３によって碁盤目状に形成し、区画壁の交差部分に連結用の筒部４を形成するものである。周辺の区画壁2’、3’は筒部４を含めて区画壁２、３の厚みを二分割した形状であり、図４に示すように筒部４の外周方に区画壁の一部をグリッド１の面方向に延長してその先端がグリッド１に装着されるタイル９の支受面となる突起10を形成している。グリッドの枡路13に装着するタイル９は方形枡状であって、前方を表示面とし側面には後方に向けて脚部15、15を形成している。脚部15の先端に形成した係止爪15aは、図４に示すようにグリッド１の区画壁２、３の裏面に係合する。
【００２２】
グリッド１、１を連結する場合、表示パネルの大きさによって四方に連結する場合や、二方に連結する場合がある。グリッド１、１を四方に連結する場合は、連結用ボルト６を係止させたグリッドに三つのグリッドを突合せ、一つの連結用ボルトに四つのグリッドの隅を係合させて固定する。二方に連結する場合は、連結用ボルト６を係止させたグリッドに一つのグリッドを係合させて固定する。グリッド１とグリッド１の連結位置は隅部分に限定されることなく、グリッドの周辺において二分割された筒部4’、4’どうしを連結用ボルト６で連結固定するものであってもよい。
【００２３】
本発明に係るグリッド連結構造に使用する連結用ボルト６は、図７に示すように短筒部7aを備えたボルト頭７の外周面から、側方に延長してピン11を設けている。このピン11は、図３に示すようにボルト頭７の短筒部7aをグリッドの筒部４に形成した環状突部５に嵌合させた状態で図３(Ａ)に示すように、グリッド１の筒部４に係止させておくことができるものであればよく、例えばバネ板、ピアノ線などを利用することができる。
【００２４】
ボルト頭７の厚みＴは、環状突部５上端とタイル９の支受面となる突起10上端までの間隔Ｘよりも小さく形成するものであるが、その理由はボルト頭７が前記間隔Ｘを通過するためである。したがって、ボルト頭７の厚みＴと間隔はＸの寸法差は大きいほうが、作業性に優れたものとすることができる。
【００２５】
正面のタイル９下方において、連結用ボルト６のボルト頭７に形成した短筒部7aが隣接する複数のグリッド１、１の筒部に形成されている環状突部５に嵌合することによって連結状態の位置決めが行われる。この状態でナット８を締め付けることによってグリッド１、１を固定することができる。すなわち、図７に示すように、連結用ボルト６に螺着するナット８にボルト頭７と同じように短筒部8aを形成し、この短筒部が裏面において隣接する複数のグリッド１、１の筒部４に形成されている環状突部５に嵌合させた状態で締め付け固定する。
【００２６】
連結用ボルト６に対してナット８を螺着するに際して、筒部4の外方に突起10が形成されているため、ナット８をたとえばスパナで締め付ける場合のように側方からの操作によって回動させることができない。したがって、ナットの軸方向の端面に対する操作によって締め付け固定する。具体的には、ナット８の軸方向端面に形成した係止部12、12に締め付け用工具、具体的には柄の前方に二つの爪14、14を突出させたドライバーのような工具16を用いて締め付ける。
【００２７】
モザイク式表示パネルは、一定の大きさの複数のグリッド１、１を連結することによって、所望の大きさの表示面を実現するものであるが、図９に示すように、グリッド１はアルミニューム製などの丈夫なフレーム17に固定することによって表示盤が完成される。
フレーム17にグリッド１を固定するには、連結杆であるコロネット18の基端をフレーム17に固定し、コロネット18の先端をグリッド１に連結する。そして、グリッド１とコロネット18の連結にも連結用ボルト６を利用する。
【００２８】
従来の連結用ボルトによるコロネットの取り付け構造を図１２に、本発明に係る連結構造の連結用ボルト６を利用したコロネットの取り付け構造を図９に示している。
従来の連結用ボルトは、グリッド１の正面からドライバーによって連結用ボルトを螺着する。すなわち、ボルト頭をドライバーで締め付けるものであった。この連結用ボルトを使用してグリッド１をフレーム17に固定するには、コロネット18の基端部をフレーム17に固定する。具体的には、フレーム17の溝19に挿入した角ナット20にコロネット18の基端部を螺着し、ロックナット21によって位置決めを行った後に、コロネット18の先端に形成した雌ネジに連結用ボルトの先端を螺着することによって、グリッド１をフレーム17に固定する。この場合においても、タイル９は取り外した状態で作業を行い、作業後にタイル９を装着しなければ成らない欠点と、フレーム17に対してグリッドの背面におけるコロネットの固定作業と、グリッド１の正面からコロネットに対して連結用ボルトを締め付ける作業とを必要とし、作業性が悪い欠点があった。
【００２９】
図９に示す本発明に係る連結用ボルト６を利用したコロネット18の取り付け構造では、フレーム17の溝19にスライドボルト22のボルト頭を挿入し、所定位置においてコロネット固定ナット23をフレームに対して締め付け固定する。すなわち、スライドボルト22はフレーム17の溝19を摺動する厚みのボルト頭を備えたボルトであり、コロネット固定ナット23はスライドボルト22に螺着される袋状のナットであって貫通孔24を穿設している。コロネット18基端にはコロネット固定ナット23に挿入可能であって貫通孔を通過しない頭部を形成し、コロネットの軸部を貫通孔を通過させ、基端部にコロネット固定ナット23が回動自在に係止されるようにしておく。
【００３０】
すなわち、コロネット18の基端部にコロネット固定ナット23を係止させた状態であり、コロネット固定ナット23はスライドボルト22に螺着可能としている。また、コロネット18の先端には図９に示すように連結用ボルト６を螺着する雌ネジ25を形成している。なお、コロネット18の先端には雌ネジ25を形成すると同時に、連結用ボルト６のナットと同様にグリッドの環状突部が嵌合する短筒部を形成している。
【００３１】
図９に示すコロネットの取り付け構造では、コロネット18を回動させることによりコロネット18とグリッド１を固定し、コロネット固定ナットを回動させることによってコロネットをフレームに固定する。この場合、グリッド１の正面からの作業を必用としないとともに、タイル９は取り外す必要がなく、効率的に固定作業を行うことができる。すなわち、コロネットを回動させることによってコロネットとグリッドを固定し、コロネット固定ナットを回動させることによってコロネットをフレームの所定位置に固定することができる。換言すれば、コロネット固定ナットを緩めることによってコロネットがフリー状態となり位置変更ができる。そしてこれらの作業は全てグリッドの背面において能率的に行うことができる。
【符号の説明】
【００３２】
１…グリッド、  ２、３…区画壁、  ４…筒部、  ５…環状突部、    ６…連結用ボルト、  ７…ボルト頭、  7a…短筒部、  ８…ナット、  8a…短筒部、  ９…タイル、  9A…無地タイル、  9B…彫刻タイル、  10…突起、  11…ピン、  12…係止部、  13…枡路、  14…爪、  15…脚部、  15a…爪、  16…工具、  17…フレーム、  18…コロネット、  19…溝、  20…角ナット、  21…ロックナット、  22…スライドボルト、  23…コロネット固定ナット、  24…貫通孔、  25…雌ネジ、  Ｐ…表示パネル。
【図１】
2010213375.tif 000003
【図２】
2010213375.tif 000004
【図３】
2010213375.tif 000005
【図４】
2010213375.tif 000006
【図５】
2010213375.tif 000007
【図６】
2010213375.tif 000008
【図７】
2010213375.tif 000009
【図８】
2010213375.tif 000010
【図９】
2010213375.tif 000011
【図１０】
2010213375.tif 000012
【図１１】
2010213375.tif 000013
【図１２】
2010213375.tif 000014